(57)【要約】  本発明の髪ケア装置の一例であるカールアイロンは、保持部、髪を挟むための第一挟持部材及び第二挟持部材１６、１８、乾燥剤保持容器１２、乾燥剤保持容器１２に保持されている再生可能な乾燥剤１０、ヒータ１４を備える。ヒータ１４は、乾燥剤保持容器１２の髪処理面に、乾燥剤保持容器１２の長軸方向に設けられている。乾燥剤１０は、粒状である。乾燥剤保持容器１２は、乾燥剤１０および乾燥剤の破片が通過することが出来ない複数の穴を有する。ヒータ１４により加熱された乾燥剤１０は、乾燥剤１０に吸湿されていた水分を放出する。この水分は、乾燥剤保持容器１２の複数の穴および空気流通口を通って、ヒータ１４により加熱された空気と共に、ユーザの髪に提供される。【選択図】図８
2021510086.tif 000002
【特許請求の範囲】
【請求項１】
髪を挟むための第一挟持部材及び第二挟持部材、
乾燥剤保持容器、
前記乾燥剤保持容器に保持されている再生可能な乾燥剤、
ヒータ
を備える髪ケア装置であって、
前記ヒータが、前記乾燥剤保持容器の髪処理面側に、前記乾燥剤保持容器の長軸方向に設けられていて、
前記乾燥剤が、粒状であり、
前記乾燥剤保持容器の全表面に、前記乾燥剤および前記乾燥剤の破片が通過することが出来ない複数の穴が設けられている、
髪ケア装置。
【請求項２】
前記乾燥剤保持容器が、ステンレスメッシュにより構成されている、請求項１に記載の髪ケア装置。
【請求項３】
前記乾燥剤保持容器が、パンチングメタルにより構成されている、請求項１に記載の髪ケア装置。
【請求項４】
前記乾燥剤の粒子径が、１．４〜２．５ｍｍである、請求項１−３の何れか１項に記載の髪ケア装置。
【請求項５】
前記ヒータが、前記乾燥剤保持容器から突出している、請求項１−４の何れか１項に記載の髪ケア装置。
【請求項６】
前記乾燥剤が、ゼオライトを備える、請求項１−５の何れか１項に記載の髪ケア装置。
【請求項７】
前記乾燥剤が、アルミナ及びシリカを備える、請求項１−５の何れか１項に記載の髪ケア装置。
【請求項８】
前記乾燥剤が、シリカゲルを備える、請求項１−５の何れか１項に記載の髪ケア装置。
【請求項９】
前記乾燥剤が、粘土系乾燥剤を備える、請求項１−５の何れか１項に記載の髪ケア装置。
【請求項１０】
使用時に、前記乾燥剤の温度が１５０℃以上となるように設定することが出来る、請求項１−９の何れか１項に記載の髪ケア装置。
【請求項１１】
前記髪ケア装置が、カールアイロンである、請求項１−１０の何れか１項に記載の髪ケア装置。
【請求項１２】
乾燥剤保持容器および前記ヒータが、それぞれ、前記第一挟持部材及び前記第二挟持部材内に配置されている、ストレートアイロンである、請求項１−１０の何れか１項に記載の髪ケア装置。
【発明の詳細な説明】
【技術分野】
【０００１】
本発明は、乾燥剤から発生させた水分を髪に供給することができる髪ケア装置、特に、ヘアアイロンに関する。
【背景技術】
【０００２】
ヘアドライヤ、ヘアアイロン、ロールブラシ等の髪ケア装置は、ヒータにより加熱した熱風を毛髪に吹付けて、毛髪を乾燥させたり、加熱した挟持部材を直接毛髪に当てて毛髪の形状をウェーブ状、カール状またはストレートに整えるものである。しかし、髪ケア装置は熱を使用するため、毛髪にダメージを与える。特に、ヘアアイロンの場合、高温（１２０℃〜２００℃）に保持された二本の挟持部材により毛髪を挟み込み、高温の発熱部で髪を一瞬のうちに加熱する。つまり、ヘアアイロンの場合には、髪に直接高熱の挟持部材が触れるので、ヘアアイロンにより整髪を繰り返し行うと毛髪に強いダメージを与え、髪が傷むことになる。髪の傷みは、髪のつやとこしを失わせ、髪を広がらせ、クセ毛のまとまりを悪くする一番の原因となる。そこで、ヘアアイロンを使用する際には、髪の傷みを防止するために、髪の保湿、つまり髪に水分を供給することが重要となる。
【０００３】
従来から、様々な髪ケア装置において、髪に水分を供給することが試みられて来ている。例えば、特許文献１には、吸着体のメンテナンスなどを容易に行え、また温風乾燥機の大型化などを招かないで温風を乾燥状態で送給する場合と加湿状態で送給する場合とを切替できるようにすることができる温風乾燥機が開示されている。この温風乾燥機では、外気をヒータで加熱し、加熱された空気を送風ファンにより乾燥温風として送給路に送給する。送給路の先端には、乾燥温風を吹き出すためのノズルが装着されている。ノズル内には、水分を吸着保持するためのシリカゲルなどからなる吸着体が配置されている。吸着体は、乾燥温風の送給時以外の期間に水分を吸着保持し、乾燥温風の送給時に吸着している水分を放出するので、毛髪に水分を供給することを可能にする。これにより、特許文献１に開示された温風乾燥機は、水タンクに水を貯めると言う従来装置には必要であった作業を不要とすることが出来る。
【０００４】
特許文献２には、ヒータ、送風ファン、第一挟持部材、第二挟持部材及び再生可能な乾燥剤を備え、乾燥剤が、ヒータの長軸方向に見てその両側に隣接して配置されているヘアアイロンが開示されている。この乾燥剤には、ゼオライト、アルミナ、シリカ、シリカゲル等が用いられる。送風ファンにより送風される空気は、ヒータにより加熱され、かつヒータにより加熱された乾燥剤は、水分を放出する。この乾燥剤は、２４時間で２０重量％の水分を吸収し、そしてヒータで加熱されると水分を放出し、一回の使用で６０分間毛髪に水分を供給することが出来る。これにより、ユーザは、水タンクに水を貯めると言う従来装置には必要であった作業をすることなく、毎日、ヘアアイロンを使用することが出来る。
【先行技術文献】
【特許文献】
【０００５】
【特許文献１】特開２００８−５４７６９号公報
【特許文献２】特許第６０９１４８２号公報
【発明の概要】
【発明が解決しようとする課題】
【０００６】
特許文献１の温風乾燥機においては、送風ファンの回転運動によって吸込口から本体ケース内に吸い込まれた外気（送給空気）の大半は、導風筒と絶縁筒との内部に形成された送給路を通って空気流通口へ送給され、その送給路を通る間にヒータで加熱されて乾燥温風として送給される（参照段落００２７）。つまり、特許文献１の温風乾燥機においては、吸込口から外気を取込み、かつヒータにより加熱された乾燥温風を空気流通口に送給するために、送風ファンを必要とする。温風乾燥機のような髪ケア装置に送風ファンを使用することは、使用時に騒音を発生させ、電力を消費し、かつ髪ケア装置内にその収容スペースを確保しなければならないと言う問題を発生させる。
【０００７】
特許文献２のヘアアイロンにおいても、送風ファンにより、空気が空気流通口から取込まれ、通風管を介してヒータに送られ、そしてヒータにより加熱された乾燥剤から放出された水分は、複数の空気流通口から、髪に供給される（参照段落００２６）。このように、特許文献２のヘアアイロンの場合にも、上述した特許文献１の問題を発生させる。更に、特許文献２のヘアアイロンの場合、その図５のＢ−Ｂ’の断面図に示されるように、乾燥剤保持部１２ｂに保持されている乾燥剤は露出している。そのため、乾燥剤が欠けると、欠けた破片が空気流通口２８を通って、ユーザの髪に付着してしまうという問題がある。
【０００８】
本発明は、髪ケア装置に送風ファンを使用することによるこのような問題および乾燥剤の破片がユーザの髪に付着してしまうという問題を解決した髪ケア装置を提供することをその目的とする。
【課題を解決するための手段】
【０００９】
本発明の髪ケア装置は、髪を挟むための第一挟持部材及び第二挟持部材、乾燥剤保持容器、前記乾燥剤保持容器に保持されている再生可能な乾燥剤、ヒータを備える、前記ヒータが、前記乾燥剤保持容器の髪処理面側に、前記乾燥剤保持容器の長軸方向に設けられていて、前記乾燥剤が、粒状であり、かつ前記乾燥剤保持容器の全表面に、前記乾燥剤および前記乾燥剤の破片が通過することが出来ない複数の穴が設けられている、ことにより上記課題を解決している。
【００１０】
特許文献２のヘアアイロンの場合、送風ファンを除去してしまうと、そのヘアアイロンは、実用に供するものとはならなかった。つまり、特許文献２のヘアアイロンにおいては、ヒータが、ヘアアイロンの第一挟持部材の中心に置かれ、その周囲に乾燥剤が配置されていて、かつ乾燥剤が、一部が解放されている容器により保持されているので、ヒータがスイッチオンされて第一挟持部材が実用温度に達するまでに長い時間を必要とし、かつ第一挟持部材が実用温度に達するまでに乾燥剤から水分が無駄に放出されてしまうと言う問題があった。
【００１１】
これに対し、本発明の髪ケア装置においては、ヒータが、乾燥剤保持容器の髪処理面側に、乾燥剤保持容器の長軸方向に設けられている。髪処理面は、カールアイロンの場合、ユーザの髪が巻付けられる第一挟持部材の外周面および第二挟持部材からなる曲面であり、ストレートアイロンの場合には、ユーザの髪が第一挟持部材と第ニ挟持部材により挟まれる平面である。さらに、乾燥剤保持容器は、乾燥剤および乾燥剤の破片が通過することが出来ない複数の穴を有し、かつ乾燥剤は、粒状である。ヒータが、乾燥剤保持容器の髪処理面側に、乾燥剤保持容器の長軸方向に設けられているので、ヒータがスイッチオンされると、ヒータの熱は直ちに髪処理面と乾燥剤保持容器に伝わり、髪ケア装置は十分短い時間で実用温度に達する。更に、乾燥剤が粒状であるので、乾燥剤の総表面積が増大し、かつ乾燥剤保持容器に複数の穴が設けられているので、乾燥剤からはより多くの水分が短時間で発生する。これにより、ヒータがスイッチオンされると、髪処理面は短時間で実用温度に達し、かつ髪処理面が実用温度に達するまでに乾燥剤から水分が無駄に放出されることがなくなる。この結果、本発明の髪ケア装置は、送風ファンを備えていないにもかかわらず、実用的に使用可能なものとなる。
【００１２】
本発明の髪ケア装置においては、さらに、前記乾燥剤保持容器が、ステンレスメッシュを備えることができる。乾燥剤保持容器をステンレスメッシュにより形成することにより、乾燥剤および乾燥剤の破片が通過することをより確実に防止することができる。
【００１３】
本発明の髪ケア装置においては、前記乾燥剤保持容器を、ステンレスメッシュまたはパンチングメタルにより構成することができる。本発明において、パンチングメタルとは、プレス加工、エッチング処理（化学処理）、レーザー加工などにより穴があけられた金属板を言う。乾燥剤保持容器をステンレスメッシュまたはパンチングメタルにより形成することにより、乾燥剤および乾燥剤の破片が通過することをより確実に防止することができる。
【００１４】
本発明の髪ケア装置においては、前記乾燥剤の粒子径を、１．４〜２．５ｍｍとすることができる。これにより、乾燥剤粒子および乾燥剤粒子の破片が乾燥剤保持容器を通過することをより確実に防止することおよび乾燥剤への熱変換効率を向上させることができる。
【００１５】
本発明の髪ケア装置においては、前記ヒータを、前記乾燥剤容器から突出させることができる。これにより、ヒータをスイッチオンしてから第一挟持部材が実用温度に至るまでの時間を短縮することができる。
【００１６】
本発明の髪ケア装置においては、前記乾燥剤が、ゼオライトを備えることができる。
【００１７】
本発明の髪ケア装置においては、前記乾燥剤が、アルミナ及びシリカを備えることができる。
【００１８】
本発明の髪ケア装置においては、前記乾燥剤が、シリカゲルを備えることができる。
【００１９】
本発明の髪ケア装置においては、前記乾燥剤が、粘土系乾燥剤を備えることができる。
【００２０】
本発明の髪ケア装置は、使用時に、前記乾燥剤の温度が１５０℃以上となるように設定することが出来る。これにより、乾燥剤から水分を効率良く発生させることが出来る。
【００２１】
本発明の髪ケア装置は、カールアイロンとすることができる。
【００２２】
本発明の髪ケア装置は、乾燥剤保持容器および前記ヒータを、それぞれ、前記第一挟持部材及び前記第二挟持部材内に配置した、ストレートアイロンとすることができる。
【図面の簡単な説明】
【００２３】
【図１】本発明のカールアイロンの斜視図である。
【図２】本発明のカールアイロンの正面図、左側面図および背面図である。
【図３】本発明のカールアイロンの左側面図である。
【図４】本発明のカールアイロンの断面図ＡＡである。
【図５】本発明のカールアイロンの断面図ＢＢである。
【図６】本発明のカールアイロンの断面図ＣＣである。
【図７】本発明のカールアイロンの上面図である。
【図８】本発明のカールアイロンの断面図ＤＤである。
【図９】本発明のカールアイロンの断面図ＥＥである。
【図１０】本発明のカールアイロンの乾燥剤、乾燥剤保持容器、ヒータの関係を示す断面図である。
【図１１】本発明のカールアイロンの第一挟持部材の断面を示す斜視図である。
【図１２】本発明のカールアイロンの乾燥剤保持容器を示す拡大斜視図である。
【図１３】本発明のカールアイロンの排水量を示す図である。
【図１４】本発明のカールアイロンの温度上昇を示す図である。
【図１５】本発明のカールアイロンの使用態様を示す図である。
【図１６】本発明のストレートアイロンの正面図および右側面図である。
【図１７】本発明のストレートアイロンの断面図ＡＡおよびＢＢである。
【図１８】本発明のストレートアイロンの断面図ＣＣである。
【発明を実施するための形態】
【００２４】
（実施態様１）
以下に、本発明の髪ケア装置を、カールアイロンとした例を説明する。本出願において、カールアイロン（髪ケア装置）の上部（下部）とは、図１に示されるカールアイロンの上部（下部）を意味する。このカールアイロンは、全体斜視図（図１）、左側面図（図２Ｂ）、背面図（図２Ｃ）、正面図（図２Ａ）および図３に示されるように、ユーザがこのカールアイロンを保持するための保持部２０と、その上部に設けられた第一挟持部材１６と、この第一挟持部材１６に結合されている第二挟持部材１８とを備えている。図１に示されるように、第一挟持部材１６は円柱状であり、第二挟持部材１８は第一挟持部材１６の表面にフィットするように湾曲させてある。この第一挟持部材１６には、ハンドル２６、前方スタンド２４および中央スタンド２５が設けられている。第一挟持部材１６の先端には、クールチップ１５が、その側部には、複数の空気流通口２８が、そしてその下部には、保持部２０および電源コード３２が設けられている。保持部２０の上面には電源スイッチ３０が（図２Ａ参照）、電源スイッチ３０の横には制御基板３６が（図８参照）、設けられている。図２Ｂには、このカールアイロンの各部の寸法が、ｍｍで示されている。クールチップ１５の先端から保持部２０と電源コード３２の接続部までの長さは３４１ｍｍ、クールチップ１５の高さは３２ｍｍで、保持部２０の長さは１９３．５ｍｍである。
【００２５】
本発明のカールアイロンは、図１０に示されるように、筐体１９内に、ヒータ１４と乾燥剤１０を保持する乾燥剤保持容器１２とを備えている。図５の断面図に示されるように、２本のヒータ１４は、乾燥剤保持容器１２の短辺の両側に、乾燥剤保持容器１２に対し間隔を設けて、対向して配置されている。ヒータ１４は、筐体１９を介さず乾燥剤保持容器１２に直接配置させても良い。このヒータ１４の寸法は、１．８ｍｍ ｘ ８．７ｍｍで、長軸方向の長さは、１０８ｍｍである。乾燥剤保持容器１２は、０．２ｍｍ厚のステンレスのパンチングメタル板を折り曲げて、直方体に形成したものである。内径で測って、長軸方向を横断する断面の大きさは、１６．６ｍｍ ｘ ２１．２ｍｍで、長軸方向の長さは、１０６ｍｍである。図１２にその一部が示されるように、乾燥剤保持容器１２の全ての面には多数の穴１２ａが形成されている。乾燥剤保持容器穴１２ａは、乾燥剤保持容器１２内に保持されている乾燥剤粒子１０ａ（図１１参照）およびその破片が通過できないような径に設定されている。本実施態様では、０．３ｍｍの径を採用した。本発明において、パンチングメタルとは、プレス加工、エッチング処理（化学処理）、レーザー加工などにより穴があけられた金属板を言う。パンチングメタルに代えて、ステンレスメッシュ等の金属メッシュを使用することも出来る。なお、実施態様１では、乾燥剤保持容器１２には、直方体のものを使用したが、これに代えて、円柱、多角形のものも使用することができる。
【００２６】
乾燥剤粒子１０ａには、株式会社東海化学工業所製のゼオライトビーズの粒径が、１．４１−２．３８ｍｍのものを使用している。乾燥剤保持容器１２には、３０ｇの量の乾燥剤粒子１０ａが、容器を満たすように保持されている。乾燥剤粒子１０ａの粒径は、１．４−２．５ｍｍが好ましいが、これに限定されるものではない。粒径が小さくなると乾燥剤粒子１０ａが乾燥剤保持容器１２から飛出してしまい、また大きくなるとストレートアイロンの様に狭い空間に乾燥剤粒子１０ａを充填する場合にその作業性が悪くなる。
【００２７】
図３の断面線ＡＡ，ＢＢ，ＣＣに対応した断面図が、それぞれ、図４、図５、図６である。図４には、第二挟持部材１８ｂ、３部品から構成されるクールチップ１５の最下部品、ヒータ１４の上端部、固定ネジ３８、固定ネジ３８のネジ頭を受ける板金を第一挟持部材に固定するためのネジ穴５４、温度調節部品（ＮＴＣ）を差し込むための差込穴５６および筐体１９が示されている。
【００２８】
図５には、乾燥剤１０を保持する乾燥剤保持容器１２が、筐体１９に設けられた２個の凸部１１により支えられていることが示されている。さらに、筐体１９内のヒータ保持部内に設置されている２個のヒータ１４および空気流通口２８を通る空気が流れる空間部１３も、示されている。また、第一挟持部材１６の外表面である髪処理面２１も示されている。
【００２９】
図６には、第一挟持部材１６から離れている状態の第二挟持部材１８ｂ、第二挟持部材１８を回転させるための回転軸４６と５８の中心方向に戻す力を与えるねじりコイルばね４２、第二挟持部材１８の回転軸４６、第二挟持部材１８とハンドル２６を連結する固定部品５８が示されている。この固定部品５８は、内部プラスティック製品の一部である。
【００３０】
図９に示されるように、第二挟持部材１８およびハンドル２６は、回転軸４６とねじりコイルばね４２により第一挟持部材１６に対して回動自在に固定されている。図１および図３に示されるように、カールアイロンが使用されていない時には、ハンドル２６および第二挟持部材１８は、それぞれ、ハンドル２６ａおよび第二挟持部材１８ａの位置にある。ユーザが、ハンドル２６を押し下げると、ハンドル２６および第二挟持部材１８は、それぞれ、ハンドル２６ｂおよび１８ｂの位置に移動し、ユーザは、第一挟持部材１６と第二挟持部材１８ｂの間に髪を挟むことができる。
【００３１】
図１および図２に示されるように、第一挟持部材１６を構成する筐体１９には、２ｘ１４個の空気流通口２８が、４組設けられている。この空気流通口２８は、外部から空気を第一挟持部材１６内に取り込むため、かつヒータ１４により加熱された乾燥剤１０が発生させる水分を含む加熱空気を排出させるためのものである。空気流通口２８の口径は、２．５ｍｍである。空気流通口２８は、図５に示される空間部１３に連通しているので、外部からの空気は、空気流通口２８、空間部１３を介して乾燥剤保持容器１２に保持されている乾燥剤１０に到達し、ヒータ１４により加熱された乾燥剤１０が発生させた水分を含む温風は、空間部１３、空気流通口２８を介して、カールアイロンの外部に放出される。
【００３２】
次に、実施態様１のカールアイロンの動作について説明する。ユーザが電源スイッチ３０をオンにすると、電源コード３２、制御基板３６を介してヒータ１４が通電される。ヒータ１４が加熱されると、空気流通口２８から空気が取込まれる。他方、ヒータ１４の加熱により、乾燥剤保持容器１２内に配置された乾燥剤粒子１０ａが１５０℃以上になると、乾燥剤粒子１０ａから水分が放出される。この放出された水分は、パンチングメタル等から形成されている乾燥剤保持容器１２の多数の穴１２a（図１２参照）を通って、第一挟持部材１６の筐体１９の表面に設けられている複数の空気流通口２８から吹出され、ユーザの髪に供給される。
【００３３】
乾燥剤粒子１０ａは、一回の使用につき少なくとも６０分間水分を髪に供給することができる。ユーザが、カールアイロンの使用を終了し、電源スイッチ３０をオフにし、乾燥剤粒子１０ａの温度が低下すると、乾燥剤１０は空気中の水分の吸湿を開始する。乾燥剤粒子１０ａは、２４時間で２０重量％の水分を吸収する（再生する）ことができるので、ユーザは、翌日には、カールアイロンを使用することができる。つまり、ユーザは、従来の髪ケア装置のように水を液体貯留部に貯めるという面倒な作業を必要とせずに、毎日、カールアイロンを少なくとも６０分間使用することができる。カールアイロンの作動温度は、スイッチ３０により設定することができる。乾燥剤１０は、その温度が１５０℃を超えると効率的に水分を発生するので、カールアイロンの作動温度は、乾燥剤１０の温度が１５０℃を超えるように設定する。作動温度は、温度調節部品（ＮＴＣ）により設定温度に保たれる。
【００３４】
ユーザが、カールアイロンを使用するには、ハンドル２６を押して（図２Ｂの２６ｂ）第二挟持部材１８を開き（図２Ｂの１８ｂ）、第一挟持部材１６と第二挟持部材１８の間に髪２９を挟んで、図１５に示されるように、第一挟持部材１６の外周面と第二挟持部材１８からなる髪処理面２１に髪２９を巻付けて加熱処理する。髪処理面２１に髪２９を巻付けた状態をしばらく保持することにより、ユーザは、カールした髪を得ることができる。この巻付けの際、ユーザは、保持部２０とハンドル２６を右手で持ち、左手でクールチップ１５をつまんで、カールアイロンを回転させることも可能である。クールチップ１５は、指でつまんでも支障のないように、指との接触面積が小さくなるように構成されている。
【００３５】
第一挟持部材１６と第二挟持部材１８は、使用時１４０℃以上の高温になるので、カールアイロンを不用意に机の上に置くと、机を焦がしたり溶かしたりする危険性がある。この危険性を除去するために、カールアイロンには前方スタンド２４および中央スタンド２５が設けられている。これにより、ユーザが使用中に、カールアイロンを机等に置いても、カールアイロンが直接机に接触することは無くなる。
【００３６】
実施態様１のカールアイロンにおいては、２本のヒータ１４は、乾燥剤保持容器１２と空気流通口２８が設けられている筐体１９の内側との間に対向して（図５）、かつ乾燥剤保持容器１２の長軸方向に（図８）、配置されている。さらに、乾燥剤は、乾燥剤粒子１０ａにより構成されていて、そして乾燥剤粒子１０ａは、無数の穴１２ａが開けられているパンチングメタル等から形成されている乾燥剤保持容器１２に保持されている。このため、ヒータがヘアアイロンの中心部に設けられ、かつその周囲に乾燥剤が配置されている特許文献２のヘアアイロンに比較し、ヒータ１４の熱は、パンチングメタルの穴１２ａを介してより短時間で乾燥剤粒子１０ａに到達する。また、乾燥剤が粒子であることから、乾燥剤全体の表面積が増大し、乾燥剤に対する熱交換効率が向上している。図１０に示されているように、ヒータ１４を乾燥剤保持容器１２から外側に距離ａ（８ｍｍ）突出させることにより、突出させていないカールアイロンに比較して、乾燥剤に対する熱交換効率を向上させることができる。図１０においては、ヒータ１４の突出部分ａは、乾燥剤保持容器１２の右側にあるが、これは乾燥剤保持容器１２の左側に設けても良い。
【００３７】
このように、乾燥剤に対する熱交換効率が向上した結果、実施態様１のカールアイロンは、送風ファンを必要としなくなった。つまり、特許文献２に記載される従来のヘアアイロンでは、送風ファンを作動させないと、電源をオンしてから１９０℃の使用温度に至るまでに２分以上を必要としたのに対し、送風ファンを有していない実施態様１のカールアイロンでは、図１４を用いて後述するように、１９０℃の使用温度に至るのに僅か４５秒しか要しない。
【００３８】
特許文献２に記載される従来のヘアアイロンでは、ヒータが中心部に配置されているため、第一挟持部材の表面が使用温度に加熱されるまでに、ヒータの周囲に配置された乾燥剤から水分が無駄に放出されると言う問題があった。これに対し、実施態様１のカールアイロンでは、ヒータが、乾燥剤保持容器１２の外側と筐体１９の内側との間に配置されているので、第一挟持部材の表面が使用温度に加熱されるまでは、乾燥剤から水分が無駄に放出されることはない。さらに、乾燥剤を粒子にしたことにより、実施態様１のカールアイロンにおいては、板状等に整形された乾燥剤を使用しなくても良いので、廉価な乾燥剤を使用することが可能になった。
【００３９】
図１３は、実施態様１のカールアイロンの排水量に関する特性データを示す。これは、時間の経過と共にこのカールアイロンが放出する水分の合計をプロットしたものである。この特性データから、１６０分経過後に、このカールアイロンが放出した水分の総量は、５．２ｇとなることが判る。この水分量は、このカールアイロンが十分実用に供するものであることを示す。
【００４０】
図１４は、実施態様１のカールアイロンの２００℃への温度上昇を示す特性データである。これは、時間経過に伴う第一挟持部材１６の表面の温度変化を示す。この特性データから、実施態様１のカールアイロンでは、電源をオンにしてから僅か４５秒で、第一挟持部材１６の表面温度が１９０℃に至ることが判る。これは、特許文献２に記載される従来のヘアアイロンでは、送風ファンを作動させないと、電源をオンにしてから１９０℃の使用温度に至るまでに２分以上を必要とすることと比較すると、非常に大きな効果である。
【００４１】
（実施態様２）
以下に、本発明の髪ケア装置を、ストレートアイロンとした例を説明する。以下の説明において、実施態様１のカールアイロンと共通する部分についての説明は省略する。実施態様２のストレートアイロンは、図１６Ｂに示されるように、ヒンジ部２２で連結されている第一挟持部材１６’と、第二挟持部材１８’を備える。カールアイロンでは、第一挟持部材１６’と第二挟持部材１８’が毛髪を挟む接触面が、湾曲しているのに対し、ストレートアイロンでは、その接触面は、図１７に示されるように平面である。
【００４２】
図１８に示されるように、第一挟持部材１６’および第二挟持部材１８’は、両方ともその筐体１９内に、ヒータ１４と、乾燥剤保持容器１２と、乾燥剤粒子１０aからなる乾燥剤１０とを備えている。図１７Ａに示されるように、筐体１９の髪処理面２１には、空気流通口２８が設けられている。図１７Ａには示されていないが、第二挟持部材１８’にも、空気流通口２８が設けられている。第一挟持部材１６’および第二挟持部材１８’のそれぞれにおいて、空気流通口２８の内側には、ヒータ１４、その内側には、乾燥剤保持容器１２が設けられている。第二挟持部材１８’には、制御基板３６（図１８）およびスイッチ３０（図１６）が設けられている。
【００４３】
実施態様２のストレートアイロンは、実施態様１のカールアイロンと同様に動作する。ユーザが電源スイッチ３０をオンにすると、電源コード３２、制御基板３６を介して、第一挟持部材１６’および第二挟持部材１８’のヒータ１４が通電される。ヒータ１４が加熱されると、空気流通口２８から空気が取込まれる。他方、ヒータ１４の加熱により、第一挟持部材１６’および第二挟持部材１８’の乾燥剤保持容器１２内に配置された乾燥剤粒子１０ａが１５０℃以上になると、乾燥剤粒子１０ａから水分が放出される。この放出された水分は、パンチングメタル等から形成されている乾燥剤保持容器１２の多数の穴１２a（図１２参照）を通って、第一挟持部材１６’および第二挟持部材１８’の髪処理面２１に設けられている複数の空気流通口２８から吹出され、ユーザの髪に供給される。このように、実施態様２のストレートアイロンでは、ユーザの髪は、第一挟持部材１６’と第二挟持部材１８’に設けられている髪処理面２１（図１７）により、挟まれて、加熱処理され、これにより、ユーザは、ストレートな髪を得ることができる。
【００４４】
以上の説明では、本発明の髪ケア装置を、カールアイロン、ストレートアイロンを例に説明したが、本発明の髪ケア装置は、これに限らず、ロールブラシ等にも適用できることは言うまでもない。
【符号の説明】
【００４５】
１０    乾燥剤
１０ａ  乾燥剤粒子  
１１    凸部
１２  乾燥剤保持容器
１２ａ  乾燥剤保持容器穴
１３    空間部
１４    ヒータ
１５    クールチップ
１６    第一挟持部材
１６’  第一挟持部材
１８    第二挟持部材
１８ａ  第二挟持部材（閉状態）
１８ｂ  第二挟持部材（開状態）
１８’  第二挟持部材
１９    筐体
２０    保持部
２１    髪処理面
２２    ヒンジ部
２４    前方スタンド
２５    中央スタンド
２６    ハンドル
２６ａ  ハンドル（閉状態）
２６ｂ  ハンドル（開状態）
２８    空気流通口
２９    髪
３０    スイッチ
３２    電源コード
３４    電源スイッチ
３６    制御基板
３８    固定ネジ
４２    ねじりコイルばね
４４    固定部品
４６    回転軸
５４    ネジ穴
５６    差込穴
５８    固定部品
【図１】
2021510086.tif 000003
【図２】
2021510086.tif 000004
【図３】
2021510086.tif 000005
【図４】
2021510086.tif 000006
【図５】
2021510086.tif 000007
【図６】
2021510086.tif 000008
【図７】
2021510086.tif 000009
【図８】
2021510086.tif 000010
【図９】
2021510086.tif 000011
【図１０】
2021510086.tif 000012
【図１１】
2021510086.tif 000013
【図１２】
2021510086.tif 000014
【図１３】
2021510086.tif 000015
【図１４】
2021510086.tif 000016
【図１５】
2021510086.tif 000017
【図１６】
2021510086.tif 000018
【図１７】
2021510086.tif 000019
【図１８】
2021510086.tif 000020
【国際調査報告】
2021510086.tif 000021
2021510086.tif 000022
2021510086.tif 000023
2021510086.tif 000024